(57)【特許請求の範囲】
【請求項１】
認証対象者の身体の一部位を取得対象部として撮像することにより、該取得対象部の血管画像を取得する血管画像取得手段と、
登録者における前記取得対象部の血管画像を登録データとして記録する記録手段と、
前記取得対象部の温度調整を行う温度調整手段と、
前記血管画像取得手段と前記温度調整手段とが配設された装置本体と、
前記血管画像取得手段によって取得された血管画像と記録手段に記録された登録データの血管画像とが一致または近似するとともに、前記温度調整手段による温度変化により該取得対象部の血管の膨張または収縮を前記血管画像取得手段によって取得された該温度変化前後の血管画像の比較によって検出したことを条件として認証成立と判断する認証手段とを備えることを特徴とする個人認証装置。
【請求項２】
前記温度調整手段は、前記取得対象部を冷却及び加熱する機能を有し、
前記認証手段は、
前記取得対象部の温度が予め設定された高温閾値よりも高い場合には、前記温度調整手段による温度調整を行わない状態において撮像した前記取得対象部の血管画像と、該温度調整手段によって冷却した状態において撮像した該取得対象部の血管画像とを比較することにより血管の膨張または収縮の有無を検出する一方、
該取得対象部の温度が予め設定された低温閾値よりも低い場合には、前記温度調整手段による温度調整を行わない状態において撮像した前記取得対象部の血管画像と、該温度調整手段によって加熱した状態において撮像した該取得対象部の血管画像とを比較することにより血管の膨張または収縮の有無を検出することを特徴とする請求項１に記載の個人認証装置。
【請求項３】
前記血管画像は、前記取得対象部の静脈パターン及び動静脈吻合であり、
前記認証手段は、該血管画像取得手段によって取得された静脈パターンが前記登録データの静脈パターンと一致または近似するとともに、前記温度調整手段による温度変化により前記動静脈吻合の膨張または収縮を前記血管画像取得手段によって取得された該温度変化前後の血管画像の比較によって検出したことを条件として認証成立と判断することを特徴とする請求項１または請求項２に記載の個人認証装置。
【請求項４】
前記血管画像は、前記取得対象部の動静脈吻合であり、
前記認証手段は、前記血管画像取得手段によって取得された動静脈吻合の位置と、前記登録データの動静脈吻合の位置とが一致または近似するとともに、前記温度調整手段による温度変化により前記動静脈吻合の膨張または収縮を前記血管画像取得手段によって取得された該温度変化前後の血管画像の比較によって検出したことを条件として認証成立と判断することを特徴とする請求項１または請求項２に記載の個人認証装置。
【請求項５】
認証対象者の身体の一部位を取得対象部として撮像することにより、該取得対象部の血管画像を血管画像取得手段により取得し、
前記血管画像取得手段によって取得された血管画像と記録手段に記録された登録データの血管画像とが一致または近似するかを判断し、
該判断で両血管画像が一致または近似する場合、温度調整手段により前記取得対象部の温度調整を行い、
前記温度調整手段による温度変化により該取得対象部の血管の膨張または収縮の有無を前記血管画像取得手段によって取得された該温度変化前後の血管画像の比較によって検出し、
血管の膨張または収縮を検出したことを条件として認証手段が認証成立と判断することを特徴とする個人認証方法。
【発明の詳細な説明】
【技術分野】
【０００１】
本発明は、人間の身体内に形成された血管パターンに基づいて個人を特定する個人認証装置及び個人認証方法に関するものである。
【背景技術】
【０００２】
従来、生体情報（身体的特徴）を利用して個人を認証する装置として、例えば特許文献１に示される個人認証装置が提案されている。
この個人認証装置では、認証対象者の身体の一部位（指）の血管パターンを撮像し、該撮像した血管パターンと予め登録された血管パターンとが一致（近似を含む）した際に認証成立と判断するようになっている。
【特許文献１】特開２００４−１１０３２６号公報
【発明の開示】
【発明が解決しようとする課題】
【０００３】
ところが、こうした個人認証装置においては、例えば登録者の血管パターンが第三者によって不正に取得され、その登録者の血管パターンを複製した偽造指が認証に用いられた場合などにおいても認証成立と判断してしまうおそれがある。すなわち、従来の個人認証装置にあっては、不正に複製された血管パターンによっても認証成立と判断してしまうおそれがある。
【０００４】
本発明はこうした実情に鑑みてなされたものであり、その目的は、不正行為による認証成立を防止することによりセキュリティレベルを向上させることができる個人認証装置及び個人認証方法を提供することにある。
【課題を解決するための手段】
【０００５】
上記の課題を解決するために、請求項１に記載の発明では、認証対象者の身体の一部位を取得対象部として撮像することにより、該取得対象部の血管画像を取得する血管画像取得手段と、登録者における前記取得対象部の血管画像を登録データとして記録する記録手段と、前記取得対象部の温度調整を行う温度調整手段と、前記血管画像取得手段と前記温度調整手段とが配設された装置本体と、前記血管画像取得手段によって取得された血管画像と記録手段に記録された登録データの血管画像とが一致または近似するとともに、前記温度調整手段による温度変化により該取得対象部の血管の膨張または収縮を前記血管画像取得手段によって取得された該温度変化前後の血管画像の比較によって検出したことを条件として認証成立と判断する認証手段とを備えることを要旨とする。
【０００６】
請求項２に記載の発明では、請求項１に記載の個人認証装置において、前記温度調整手段は、前記取得対象部を冷却及び加熱する機能を有し、前記認証手段は、前記取得対象部の温度が予め設定された高温閾値よりも高い場合には、前記温度調整手段による温度調整を行わない状態において撮像した前記取得対象部の血管画像と、該温度調整手段によって冷却した状態において撮像した該取得対象部の血管画像とを比較することにより血管の膨張または収縮の有無を検出する一方、該取得対象部の温度が予め設定された低温閾値よりも低い場合には、前記温度調整手段による温度調整を行わない状態において撮像した前記取得対象部の血管画像と、該温度調整手段によって加熱した状態において撮像した該取得対象部の血管画像とを比較することにより血管の膨張または収縮の有無を検出することを要旨とする。
【０００７】
請求項３に記載の発明では、請求項１または請求項２に記載の個人認証装置において、前記血管画像は、前記取得対象部の静脈パターン及び動静脈吻合であり、前記認証手段は、該血管画像取得手段によって取得された静脈パターンが前記登録データの静脈パターンと一致または近似するとともに、前記温度調整手段による温度変化により前記動静脈吻合の膨張または収縮を前記血管画像取得手段によって取得された該温度変化前後の血管画像の比較によって検出したことを条件として認証成立と判断することを要旨とする。
【０００８】
請求項４に記載の発明では、請求項１または請求項２に記載の個人認証装置において、前記血管画像は、前記取得対象部の動静脈吻合であり、前記認証手段は、前記血管画像取得手段によって取得された動静脈吻合の位置と、前記登録データの動静脈吻合の位置とが一致または近似するとともに、前記温度調整手段による温度変化により前記動静脈吻合の膨張または収縮を前記血管画像取得手段によって取得された該温度変化前後の血管画像の比較によって検出したことを条件として認証成立と判断することを要旨とする。
請求項５に記載の発明では、認証対象者の身体の一部位を取得対象部として撮像することにより、該取得対象部の血管画像を血管画像取得手段により取得し、前記血管画像取得手段によって取得された血管画像と記録手段に記録された登録データの血管画像とが一致または近似するかを判断し、該判断で両血管画像が一致または近似する場合、温度調整手段により前記取得対象部の温度調整を行い、前記温度調整手段による温度変化により該取得対象部の血管の膨張または収縮の有無を前記血管画像取得手段によって取得された該温度変化前後の血管画像の比較によって検出し、血管の膨張または収縮を検出したことを条件として認証手段が認証成立と判断することを要旨とする。
【０００９】
以下、本発明の「作用」について説明する。
請求項１に記載の発明によると、血管画像取得手段によって取得された取得対象部の血管画像と記録手段に記録された登録データの血管画像とが一致または近似することと、血管が温度変化による取得対象部の膨張または収縮が検出されることとが、認証成立の条件となる。このため、認証手段は、血管画像の一致または近似の有無により認証対象者の身体情報の特定（個人特定）が可能となり、血管の膨張または収縮の有無により該認証対象者の生体反応の有無を検出可能となる。すなわち、個人特定の有無と生体反応の有無とに基づいて認証が行われる。このため、たとえ第三者によって不正に取得された登録者の血管画像を用いて認証操作が行われた場合であっても、認証手段は、生体反応を検出しないため認証成立と判断しない。よって、偽造指などを用いた不正な認証成立が確実に防止され、セキュリティレベルがより好適に向上することとなる。
【００１０】
請求項２に記載の発明によると、取得対象部の温度が高温閾値よりも高い場合には、温度調整前に取得された取得対象部の血管画像と、温度調整手段によって冷却した状態において取得された該取得対象部の血管画像とが比較される。一方、取得対象部の温度が低温閾値よりも低い場合には、温度調整前に取得された取得対象部の血管画像と、温度調整手段によって加熱した状態において取得された該取得対象部の血管画像とが比較される。そして、それら血管画像を比較して血管の膨張または収縮の有無が検出される。よって、どちらの場合においても検出時における取得対象部に明確な温度差が生じるため、取得対象部の生体反応の有無を確実に検出することが可能となる。
【００１１】
請求項３に記載の発明によると、個人特定には静脈パターンが用いられ、生体反応の有無判断に動静脈吻合の収縮有無が用いられる。一般に、静脈パターンには個人差が明確に現れ、動静脈吻合には温度変化に対する膨張または収縮が静脈そのものの収縮に比べて著しく現れる。このため、両者を認証に用いることにより、確実な個人特定と生体反応の有無判断とが可能となる。
【００１２】
請求項４に記載の発明によると、動静脈吻合の位置には個人差があるため、認証手段は、取得した動静脈吻合の位置と、記録手段に記録された登録データとしての動静脈吻合の位置とが一致するか否かを判断することにより、個人の特定が可能となる。また、動静脈吻合は温度変化に対する膨張または収縮が静脈そのものの収縮に比べて著しく現れるため、該取得対象部の生体反応の有無を確実に検出可能となる。
【発明の効果】
【００１３】
以上詳述したように、本発明によれば、不正行為による認証成立を防止することによりセキュリティレベルを向上させることができる個人認証装置及び個人認証方法を提供することができる。
【発明を実施するための最良の形態】
【００１４】
以下、本発明の個人認証装置を入退室管理システムに適用した一実施形態を図１〜図５に基づき詳細に説明する。
＜入退室管理システム１の概要＞
図１及び図２に示すように、入退室管理システム１は、セキュリティルームへの通路などに設けられた入退室管理ゲート近傍に設けられた個人認証装置２と、該入退室管理ゲート内に設けられたセキュリティ装置３とを備えている。より詳しくは、個人認証装置２は、入退室管理ゲート近傍に設けられた画像入力装置４と、その画像入力装置４に電気的に接続された認証手段としての認証制御部５とを備えている。この個人認証装置２は、セキュリティ装置３と電気的に接続され、画像入力装置４によって認証対象者の身体的特徴を取得すると、認証制御部５によって認証処理を行い、認証が成立するとセキュリティ装置３に認証成立信号を出力する。セキュリティ装置３は、入退室管理ゲートの通過を許可及び禁止する装置であり、該認証制御部５から認証成立信号が入力されると、セキュリティを解除して認証対象者の入退室管理ゲートの通過を許可する。このため、認証制御部５からセキュリティ装置３に認証成立信号が入力されない状態においては、入退室管理ゲートの人の通過が禁止された状態となる。すなわち、入退室管理システム１とは、認証対象者の身体的特徴に基づいて認証を行い、その認証結果に基づいて入退室管理ゲートの通過を許可・禁止するシステムである。
【００１５】
＜個人認証装置２の構成＞
図１に示すように、画像入力装置４は、基部１１ａと、その基部１１ａの両端に設けられた第１壁部１１ｂ及び第２壁部１１ｃとを備えた平面視で略「コ」字状をなす装置本体１１を備えている。第１壁部１１ｂと第２壁部１１ｃとは対向した状態に形成され、両者間には認証対象者の手指６を挿入可能な凹所１１ｄが設けられている。第１壁部１１ｂには凹所１１ｄ内に挿入された手指６を撮像可能な血管画像取得手段としてのカメラ１２が配設され、第２壁部１１ｃには凹所１１ｄ内を照光する光源１３が配設されている。また、凹所１１ｄ内には手指６を冷却及び加熱可能な温度調整機構１４が配設され、基部１１ａにおける凹所１１ｄ側壁面には手指６の挿入有無を検知する検知部１５が配設されている。
【００１６】
図２に示すように、カメラ１２、光源１３、温度調整機構１４及び検知部１５は、認証制御部５に電気的に接続されている。そして、カメラ１２、光源１３及び温度調整機構１４は、認証制御部５から出力される制御信号に基づいて作動する。
【００１７】
本実施形態においてカメラ１２は、近赤外線カメラによって構成され、認証制御部５から作動制御信号が入力されると作動する。そして、作動時においてカメラ１２は、凹所１１ｄ内に挿入された認証対象者の手指６内の血管を撮像し、その撮像データを認証制御部５に出力する。詳しくは、本実施形態においてカメラ１２は、図３に示すような手指６の静脈の血管パターン（静脈パターン）２１と、図４に概略的に示す手指６の動静脈吻合２２とを撮像し、その撮像データを認証制御部５に出力する。なお、図４に示すように、動静脈吻合２２とは、動脈２３と静脈２４との間において、毛細血管２５が介在せず動脈が静脈に直接注ぐ吻合脈管であり、手指６の温度が低いときに膨張し（図４（ａ）参照）、手指６の温度が高いときに収縮する（図４（ｂ）参照）。
【００１８】
本実施形態において光源１３は赤外線ランプによって構成され、認証制御部５から作動制御信号が入力されると作動して凹所１１ｄ内を照光する。
温度調整機構１４は、認証制御部５から作動制御信号が入力されると周辺温度を検出し、その周辺温度を示す温度データを認証制御部５に出力する。また、温度調整機構１４は、認証制御部５から冷却制御信号が入力されると冷却作動して凹所１１ｄ内の温度を所定温度まで低下させ、該認証制御部５から加熱制御信号が入力されると加熱作動して凹所１１ｄ内の温度を所定温度まで上昇させる。
【００１９】
検知部１５は、凹所１１ｄ内への手指６の挿入を検知すると、検知信号を認証制御部５に出力する。なお、こうした検知部１５としては、手指６の接触を検知する接触センサや、手指６の近接を検知する近接センサや、手指６によって押圧された際に開閉状態が切り換わるスイッチなどが挙げられる。
【００２０】
認証制御部５は、具体的には図示しないＣＰＵ、ＲＯＭ、ＲＡＭ等から構成されたコンピュータユニットであり、不揮発性のメモリ５ａを備えている。メモリ５ａには、予め設定された低温閾値及び高温閾値と、登録者の手指６における静脈の血管パターン（静脈パターン）２１とが記録されている。
【００２１】
こうした認証制御部５は、検知部１５から検知信号が入力されたことを条件としてカメラ１２、光源１３及び温度調整機構１４の作動制御を行うことにより認証処理を行う。そこで、認証制御部５によって行われる認証処理を、図５に示すフローチャートに従って説明する。
【００２２】
＜認証処理＞
同図に示すように、ステップＳ１において認証制御部５は、検知部１５から検知信号が入力有無を判断し、該検知信号が入力されていないと判断した場合にはここでの処理を一旦終了し、該検知信号が入力されていると判断した場合にはステップＳ２の処理へ移行する。
【００２３】
ステップＳ２において認証制御部５は、第１画像データの取得処理を行う。具体的には、認証制御部５は、カメラ１２及び光源１３に対して作動制御信号を出力する。これによりカメラ１２によって手指６の静脈パターン２１と動静脈吻合２２とが撮像され、その撮像データが該カメラ１２から認証制御部５に入力される。そして、認証制御部５は、ここで入力された撮像データを第１撮像データとして取得する。
【００２４】
続くステップＳ３において認証制御部５は、第１撮像データの静脈パターン２１と、メモリ５ａに記録されている登録者の静脈パターン２１とを比較（照合）する。その結果、認証制御部５は、第１撮像データの静脈パターン２１が登録者の静脈パターン２１と一致（近似を含む）しない場合にはここでの処理を一旦終了し、一致した場合にはステップＳ４の処理へ移行する。すなわち、本実施形態において認証制御部５は、第１撮像データの静脈パターン２１と登録者の静脈パターン２１とが一致した場合にのみ次ステップの処理を行い、一致しない場合にはここでの処理を終了する。
【００２５】
ステップＳ４において認証制御部５は、取得対象部の温度調整を行う。具体的には、認証制御部５は、温度調整機構１４に対して作動制御信号を出力する。これにより該温度調整機構１４が作動し、凹所１１ｄ内の周辺温度、すなわち手指６の温度を示す温度データが認証制御部５に入力される。認証制御部５は、温度データによって示される手指６の温度がメモリ５ａに記録された低温閾値よりも低い場合、加熱制御信号を温度調整機構１４に出力する。これに対し、認証制御部５は、該手指６の温度がメモリ５ａに記録された高温閾値よりも高い場合、冷却制御信号を温度調整機構１４に出力する。このため、温度調整機構１４の加熱または冷却作動により、手指６の温度が、予め設定された低温設定温度または高温設定温度に調整される。なお、本実施形態において低温閾値と高温閾値とは、同じ温度に設定されている。
【００２６】
そして、認証制御部５は、温度調整機構１４から入力される温度データに基づいて取得対象部の温度調整が完了したと判断すると、ステップＳ５において第２撮像データの取得処理を行う。具体的には、認証制御部５は、カメラ１２及び光源１３に対して再び作動制御信号を出力する。そして、カメラ１２から入力された撮像データを第２撮像データとして取得する。
【００２７】
続くステップＳ６において認証制御部５は、ステップＳ２において取得した第１撮像データと、ステップＳ５において取得した第２撮像データとを比較し、動静脈吻合２２に変化があるか否かを判断する。具体的には、認証制御部５は、第１撮像データにおける動静脈吻合２２と第２撮像データにおける動静脈吻合２２とを比較することにより、該動静脈吻合２２に膨張または収縮があるか否かを判断する。通常、動静脈吻合２２は、温度が低くなると膨張し、温度が高くなると収縮する、といった生体反応を生じる。このため、認証制御部５は、こうした温度調整前後の撮像データを比較することにより、該動静脈吻合２２の膨張または収縮の有無を検出する。
【００２８】
その結果、認証制御部５は、動静脈吻合２２の膨張または収縮を検出できなかった場合、すなわち手指６に生体反応がないと判断した場合には、認証に用いられた手指６が偽造指であると判断してここでの処理を一旦終了する。これに対し、認証制御部５は、動静脈吻合２２の膨張または収縮を検出した場合、すなわち手指６に生体反応があったと判断した場合、認証成立と判断してステップＳ７の処理へ移行し、セキュリティ装置３に対して認証成立信号を出力する。このため、セキュリティ装置３によってセキュリティが解除され、認証対象者の入退室管理ゲートの通過が許可される。
【００２９】
したがって、本実施形態によれば以下のような効果を得ることができる。
（１）認証対象者の手指６の血管画像がカメラ１２によって撮像されると、その撮像データに含まれる静脈パターン２１とメモリ５ａに記録された登録者の静脈パターン２１のデータ（登録データ）とが比較される。そして、それら静脈パターンが一致または近似するとともに、温度調整機構１４による温度変化により手指６の動静脈吻合２２に膨張または収縮が生じたことが検出された際に、認証成立と判断される。すなわち、静脈パターン２１の一致または近似の有無により個人が特定され、動静脈吻合２２の膨張または収縮の有無により手指６の生体反応の有無が検出される。そして、個人が特定されるとともに生体反応が検出された場合に、認証成立と判断される。このため、たとえ第三者によって不正に取得された登録者の静脈パターン２１を用いて認証操作が行われた場合であっても、認証制御部５は、生体反応を検出しないため認証成立と判断しない。よって、偽造指などを用いた不正行為による認証成立を確実に防止することができ、セキュリティレベルをより好適に向上させることができる。
【００３０】
（２）手指６の温度が高温閾値よりも高い場合には、温度調整機構１４による温度調整前に撮像された手指６の動静脈吻合２２と、温度調整機構１４によって冷却した状態において撮像された該手指６の動静脈吻合２２との比較により、該動静脈吻合２２に膨張が生じたか否かが判断される。一方、手指６の温度が低温閾値よりも低い場合には、温度調整機構１４による温度調整前に撮像された手指６の動静脈吻合２２と、温度調整機構１４によって加熱した状態において撮像された該手指６の動静脈吻合２２との比較により、該動静脈吻合２２に収縮が生じたか否かが判断される。よって、これらどちらの場合においても検出時における手指６に明確な温度差が生じるため、動静脈吻合２２に膨張または収縮が明確に現れる。それゆえ、手指６の生体反応の有無を確実に検出することができる。
【００３１】
（３）個人の特定には静脈パターン２１が用いられ、生体反応の有無判断に動静脈吻合２２の収縮有無が用いられる。一般に、静脈パターン２１には個人差が明確に現れ、動静脈吻合２２には温度変化に対する膨張または収縮が静脈そのものの収縮に比べて著しく現れる。このため、両者を認証に用いることにより、確実な個人特定と生体反応の有無判断とが可能となる。
【００３２】
（４）認証制御部５は、温度調整機構１４による温度調整を行う前に撮像した手指６の撮像データ（第１撮像データ）に基づいて静脈パターン２１の照合を行う。その結果、認証制御部５は、撮像データの静脈パターン２１とメモリ５ａに記録された静脈パターン２１とが一致または近似した際に、温度調整機構１４によって温度調整が行われた状態で撮像した手指６の画像データ（第２撮像データ）と第１撮像データとを比較して動静脈吻合２２の膨張または収縮の有無を判断する。すなわち、認証制御部５は、静脈パターン２１の照合が成立したことを条件として、温度調整機構１４の作動制御と動静脈吻合２２の変化を検出する制御とを行う。換言すれば、静脈パターン２１の照合が成立しない場合には、これら制御が行われない。このため、無駄な電力消費を抑制することができる。
【００３３】
（５）手指６が取得対象部として設定されている。通常、身体の末端部位には多数の動静脈吻合２２が存在するため、こうした手指６を取得対象部として設定することにより、動静脈吻合２２を確実に撮像することができる。
【００３４】
なお、本発明の実施形態は以下のように変更してもよい。
・  前記実施形態では、低温閾値と高温閾値とが同じ温度に設定されている。しかし、低温閾値と高温閾値とは異なる温度に設定されていてもよい。但しこの場合、低温閾値の方が高温閾値よりも低い温度に設定される必要がある。そして、このように設定されている場合、認証制御部５は、前記認証処理において温度調整を行う際（図５におけるステップＳ４参照）に、温度調整機構１４を一旦冷却作動させて手指６の温度を低温設定温度に調整して第２撮像データの取得処理を行う（ステップＳ５参照）。その後、認証制御部５は、温度調整機構１４を加熱作動させて手指６の温度を高温設定温度に調整して再び第２撮像データの取得処理を行う。そして、認証制御部５は、このように取得した２種の第２撮像データを比較して動静脈吻合の収縮の有無を判断する。なお、温度調整機構１４による冷却・加熱の手順は逆順になっていてもよい。このようにすれば、温度調整を行う前の手指６の温度が低温閾値と高温閾値との間にある場合であっても、認証制御部５は、該手指６の動静脈吻合の膨張または収縮の有無を確実に検出することができる。
【００３５】
・  前記実施形態において認証制御部５は、温度調整機構１４による温度調整を行わない状態において手指６を撮像し、その撮像データを第１撮像データとして取得するようになっている。しかし、認証制御部５は、第１撮像データを取得する際においても、温度調整機構１４による温度調整を行うようになっていてもよい。具体的には、認証制御部５は、第１撮像データの取得時には温度調整機構１４によって手指６を低温設定温度まで冷却し、第２撮像データの取得時には温度調整機構１４によって手指６を高温設定温度まで加熱するなどを行うようになっていてもよい。なお、こうした温度調整機構１４による冷却・加熱の手順は逆順になっていてもよい。また、この場合、前記実施形態における高温閾値及び低温閾値は不要となる。このようにすれば、血管の膨張または収縮度合いが大きくなるため、認証制御部５は、該膨張または収縮の有無をより確実に検出することができる。
【００３６】
・  前記実施形態において認証制御部５は、撮像した手指６の静脈パターン２１とメモリ５ａに記録された登録者の静脈パターン２１とを比較することによって個人の特定を行い、撮像した手指６の動静脈吻合２２の膨張または収縮の有無によって該手指６の生体反応を検出するようになっている。しかし、例えば、認証制御部５は、撮像した手指６の動静脈吻合２２の位置と、メモリ５ａに記録された登録者の動静脈吻合２２の位置とを比較することによって個人の特定を行うようになっていてもよい。通常、動静脈吻合２２の位置には個人差があるため、認証制御部５は、撮像した手指６の動静脈吻合２２の位置と、メモリ５ａに記録された登録者の動静脈吻合２２の位置とが一致するか否かを判断することによっても、個人の特定が可能となる。また、認証制御部５は、撮像した手指６の動静脈吻合２２の膨張または収縮の有無によって生体反応を検出することに限らず、例えば、温度調整機構１４による温度変化に基づく静脈パターン２１の膨張または収縮の有無に基づいて生体反応を検出するようになっていてもよい。すなわち、認証制御部５は、静脈パターン２１のみに基づいて個人の特定及び生体反応の有無検出を行うようになっていたり、動静脈吻合２２のみに基づいて個人の特定及び生体反応の有無検出を行うようになっていたりしてもよい。また、認証制御部５は、動静脈吻合２２の位置に基づいて個人の特定を行い、静脈パターン２１の膨張または収縮の有無に基づいて生体反応の有無を検出するようになっていてもよい。
【００３７】
・  前記実施形態において認証制御部５は、撮像した手指６の静脈パターン２１とメモリ５ａに記録された登録者の静脈パターン２１とが一致または近似していると判断した場合、すなわち個人が特定された場合にのみ、温度調整機構１４の作動制御と、動静脈吻合２２の膨張または収縮有無に基づく生体反応の有無判断とを行うようになっている。しかし、認証制御部５は、静脈パターン２１の一致の有無にかかわらず、温度調整機構１４の作動制御と、動静脈吻合２２の膨張または収縮有無に基づく生体反応の有無判断とを行うようになっていてもよい。
【００３８】
・  温度調整機構１４は、加熱機能及び冷却機能のうちの一方のみを有する構成となっていてもよい。但しこの場合には、周辺温度がほぼ一定に保たれているような箇所に画像入力装置４が配設されている場合が好ましい。具体的には、加熱機能のみを有する温度調整機構１４を備えた画像入力装置４においては、周辺温度が低温に保たれている箇所に配設されることが好ましい。これに対し、冷却機能のみを有する温度調整機構１４を備えた画像入力装置４においては、周辺温度が高温に保たれている箇所に配設されることが好ましい。
【００３９】
・  取得対象部は、手指６に限らず、掌全体や足指など、身体の一部であれば何れの箇所でもよい。但し、生体反応の検出に動静脈吻合２２が用いられる場合には、身体の末端部分であることが好ましい。
【００４０】
・  セキュリティ装置３は、入退室管理ゲートの通過の許可・禁止を行うものに限らず、例えばパーソナルコンピュータの起動許可・禁止を行うものや、車両のエンジン始動許可・禁止を行うものなど、セキュリティシステム一般に適用可能である。すなわち、個人認証装置２は、入退室管理システム１に限らず、セキュリティシステム一般に用いられてもよい。
【００４１】
・  カメラ１２は、近赤外線カメラに限らず、静脈パターン２１及び動静脈吻合２２を撮像可能であればどのようなカメラによって構成されてもよい。
・  個人認証装置２は、ブザーや表示器などからなる報知手段を備えていてもよい。そして、認証制御部５は、認証を行った手指６が偽造指である可能性があると判断した場合、すなわち静脈パターン２１の照合は一致または近似するものの、動静脈吻合２２の膨張または収縮を検出できなかった場合には、該報知手段を作動させてその旨を周囲に報知するようになっていてもよい。また、こうした認証制御部５による報知の態様としては、偽造指による不正認証行為が行われた際に即座に報知する即時報知態様や、不正認証行為が行われた旨をメモリ５ａに一旦記録し、登録者（ユーザ）による認証が成立した際に不正認証行為が行われたことをその時間とともに報知する遅延報知態様などが挙げられる。このようにすれば、不正認証行為を行った第三者に対して威嚇することができる。また、登録指の変更をユーザに促すことができるため、該ユーザは、不正認証に用いられた登録データを抹消するとともに、別の手指６で新たに登録データをメモリ５ａに記録させることにより、偽造指による不正認証行為が再び行われることを抑制することができる。よって、セキュリティの強化を図ることが可能となる。
【００４２】
次に、特許請求の範囲に記載された技術的思想のほかに、前述した実施形態によって把握される技術的思想を以下に列挙する。
（１）  個人認証装置において、前記認証手段は、周辺温度が前記低温閾値よりも高く前記高温閾値よりも低い場合には、前記温度調整手段によって冷却した状態において撮像した前記取得対象部の血管画像と、該温度調整手段によって加熱した状態において撮像した該取得対象部の血管画像とを比較することにより血管の膨張または収縮の有無を検出すること。この（１）に記載の技術的思想によれば、血管の膨張または収縮度合いが大きくなるため、該膨張または収縮の有無判断をより確実に検出することができる。
【００４３】
（２）  個人認証装置において、前記認証手段は、前記血管画像取得手段によって取得された血管画像と前記記録手段に記録された登録データの血管画像とが一致または近似したことを条件として、前記温度調整手段による前記取得対象部の温度調整を行い、且つ該温度調整手段による温度変化に基づく前記取得対象部の血管の膨張または収縮の有無を検出する処理を行うこと。この（２）に記載の技術的思想によれば、無駄な電力消費を抑制することができる。
【００４４】
（３）  個人認証装置において、前記取得対象部は、認証対象者の手指であること。
【図面の簡単な説明】
【００４５】
【図１】本発明の一実施形態の入退室管理システムの構成を概略的に示す模式図。
【図２】同実施形態の概略構成を示すブロック図。
【図３】静脈パターンを模式的に示す図。
【図４】（ａ），（ｂ）は、動静脈吻合を模式的に示す図。
【図５】同実施形態の認証手段によって行われる認証処理を示すフローチャート。
【符号の説明】
【００４６】
１…入退室管理システム、２…個人認証装置、３…セキュリティ装置、５…認証手段としての認証制御部、５ａ…記録手段としてのメモリ、６…取得対象部としての手指、１１…装置本体、１２…血管画像取得手段としてのカメラ、１４…温度調整手段としての温度調整機構、２１…静脈パターン、２２…動静脈吻合。
【図１】
0004624882.tif 000002
【図２】
0004624882.tif 000003
【図３】
0004624882.tif 000004
【図４】
0004624882.tif 000005
【図５】
0004624882.tif 000006